(57)【要約】【課題】本発明は、１本の塗布具容器で少なくとも３種類のアイブロウ、アイライナーの化粧が出来、しかもその１本の外形サイズを出来る限りコンパクトにしうると共に、使用時には使いやすい長さにセット出来、使用部品等を大幅に削減させて作製でき、もって製造コストをも安価にすることが出来る塗布具を提供することを目的とする。【解決手段】本発明は、同じ外径と内径を有する略円筒状をなす第１ホルダー部及び第２ホルダー部と、第１ホルダー部の後端部側に、該第１ホルダー部の径より小径とされた略円筒状をなす狭窄円筒部と、前記第１ホルダー部の先端側開口から挿入されて取り付けられるペンシルカートリッジと、前記狭窄円筒部の開口から挿入されるスクリューブラシ体と、前記第２ホルダー部の後端側開口から嵌入されるパウダー部材とを有することを特徴とする。【選択図】  図１
2020069056.tif 000002
【特許請求の範囲】
【請求項１】
同じ外径と内径を有する略円筒状をなす第１ホルダー部及び第２ホルダー部と、
第１ホルダー部の後端部側に、該第１ホルダー部の径より小径とされた略円筒状をなす狭窄円筒部と、
狭窄円筒部の外周面と第２ホルダー部の先端側内周面に各々設けられ、前記第１ホルダー部と第２ホルダー部とを螺合状態で連結するねじ面と、
前記第１ホルダー部の先端側開口から挿入されて取り付けられる、略円筒状をなし、先端側は開口し後端側は塞がれて形成されたペンシルカートリッジ基体と、該ペンシルカートリッジ基体に挿入されるスパイラルスライダーと、スパイラルスライダー内部に挿入されるペンシルチャックとを有するペンシルカートリッジと、前記狭窄円筒部の開口から挿入されるスクリューブラシ体と、前記第２ホルダー部の後端側開口から嵌入されるパウダー部材と、を有し、
前記ペンシルカートリッジは、スパイラルスライダーの内周面とペンシルチャックの外周面の双方の面につき、前記ペンシルチャックが軸方向へ移動できるようねじ面として構成され、
前記パウダー部材は、パウダー状の塗布材が塗布されてなるパウダー部と該パウダー部を前記第２ホルダー部内に取り付けるパウダー部取付体を有して構成され、該パウダー部取付体は、第２ホルダー部内に挿入されたスプリングホルダー内に挿入されて取り付けられ、
前記スプリングホルダーとパウダー部取付体との間には、該底部側において伸縮可能な弾性部材が取り付けられ、前記パウダー部材は、第２ホルダー部の開口をキャップするパウダーキャップ内に予め取り付けられたパウダー状塗布材に接触可能にして前記弾性部材によって弾発力が与えられた、
ことを特徴とする塗布具。
【請求項２】
前記第２ホルダー部の後端側開口から嵌入されるパウダー部材に替えて、前記ペンシルカートリッジが取り付けられる、
ことを特徴とする請求項１記載の塗布具。
【請求項３】
前記第１ホルダー部の開口から挿入されて取り付けられるペンシルカートリッジに替えて、前記パウダー部材が取り付けられる、
ことを特徴とする請求項１記載の塗布具。
【請求項４】
前記狭窄円筒部の開口に挿入されて取り付けられるスクリューブラシ体に替えて、ぼかし部材が取り付けられる、
ことを特徴とする請求項１記載の塗布具。
【発明の詳細な説明】
【技術分野】
【０００１】
本発明は、例えばアイライナーやアイブロウのような化粧用具などの様に、例えば棒状芯材の先端部より所定箇所に描画して使用する塗布具に係り、特に複数の用途に対応した塗布具の創作に関するものである。
【背景技術】
【０００２】
従来、アイブロウなど内部にいわゆるペンシルタイプの棒状芯材を取り付け、このペンシルタイプの棒状芯材先端部によって眉などの所定箇所に描画するペンシルタイプの塗布具、あるいは眉頭の描画や眉を広範囲にぼかしたい場合に使用されるパウダータイプの塗布具、あるいは、眉等に対して、塗布材料を馴染ませやすくしたスクリューブラシタイプの塗布具などが一般に知られている。
【０００３】
しかしながら、これら塗布具は、従来それぞれ別々の塗布具として作製されて販売されており、納得のいくアイブロウやアイライナーの化粧を望む場合には、その使用目的に応じて、少なくとも例えば３本の塗布具を常に用意しなければならないとの課題があった。
【０００４】
ここで、前述のペンシルタイプの塗布具は、文字通り固形の芯で眉に色を描き足せるもので比較的小回りのきく鉛筆のようなタイプであり、このペンシルタイプの塗布具の使用のほかにパウダータイプやスクリューブラシタイプの塗布具をさらに使用して、眉にぼかしを入れたり、眉をナチュラルに仕上げたりするのである。また、きりっとした立体的な印象に仕上げることも前記の３種の塗布具を使用して行えるものとなっている。
【０００５】
さらに、部分的なすき間を埋めたり、目尻や輪郭などのラインを描くときにも前記３種類の塗布具を使用すればきわめて好ましい仕上げが出来ることになる。
【先行技術文献】
【特許文献】
【０００６】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【０００７】
かくして、本発明による塗布具は、前記従来の課題を解決するために創案されたものであって、１本の塗布具容器で少なくとも３種類のアイブロウ、アイライナーの化粧が出来、しかもその１本の外形サイズを出来る限りコンパクトにしうると共に、使用時には使いやすい長さにセット出来、さらには前述のごとく、ペンシルタイプ、パウダータイプあるいはブラシタイプなどの多種類の塗布具を１本の塗布具容器内に収めることが出来るのみならず、塗布具の両側に色の異なったペンシルタイプを取り付け、真ん中にはブラシタイプの塗布具を取り付ける塗布具としたり、あるいは両側にパウダータイプの塗布具を取り付け、真ん中にはブラシタイプの塗布具とするなどバラエティに富んだ多目的、多用途の塗布具を構成部品として兼用させて提供出来るなど使用部品等を大幅に削減させて作製でき、もって製造コストをも安価にすることが出来る塗布具を提供することを目的とするものである。
【課題を解決するための手段】
【０００８】
本発明による塗布具は、
同じ外径と内径を有する略円筒状をなす第１ホルダー部及び第２ホルダー部と、
第１ホルダー部の後端部側に、該第１ホルダー部の径より小径とされた略円筒状をなす狭窄円筒部と、
狭窄円筒部の外周面と第２ホルダー部の先端側内周面に各々設けられ、前記第１ホルダー部と第２ホルダー部とを螺合状態で連結するねじ面と、
前記第１ホルダー部の先端側開口から挿入されて取り付けられる、略円筒状をなし、先端側は開口し後端側は塞がれて形成されたペンシルカートリッジ基体と、該ペンシルカートリッジ基体に挿入されるスパイラルスライダーと、スパイラルスライダー内部に挿入されるペンシルチャックとを有するペンシルカートリッジと、前記狭窄円筒部の開口から挿入されるスクリューブラシ体と、前記第２ホルダー部の後端側開口から嵌入されるパウダー部材と、を有し、
前記ペンシルカートリッジは、スパイラルスライダーの内周面とペンシルチャックの外周面の双方の面につき、前記ペンシルチャックが軸方向へ移動できるようねじ面として構成され、
前記パウダー部材は、パウダー状の塗布材が塗布されてなるパウダー部と該パウダー部を前記第２ホルダー部内に取り付けるパウダー部取付体を有して構成され、該パウダー部取付体は、第２ホルダー部内に挿入されたスプリングホルダー内に挿入されて取り付けられ、
前記スプリングホルダーとパウダー部取付体との間には、該底部側において伸縮可能な弾性部材が取り付けられ、前記パウダー部材は、第２ホルダー部の開口をキャップするパウダーキャップ内に予め取り付けられたパウダー状塗布材に接触可能にして前記弾性部材によって弾発力が与えられた、
ことを特徴とし、
または、
前記第２ホルダー部の後端側開口から嵌入されるパウダー部材に替えて、前記ペンシルカートリッジが取り付けられる、
ことを特徴とし、
または、
前記第１ホルダー部の開口から挿入されて取り付けられるペンシルカートリッジに替えて、前記パウダー部材が取り付けられる、
ことを特徴とし、
または、
前記狭窄円筒部の開口に挿入されて取り付けられるスクリューブラシ体に替えて、ぼかし部材が取り付けられる、
ことを特徴とするものである。
【発明の効果】
【０００９】
本発明による塗布具であれば、１本の塗布具容器で少なくとも３種類のアイブロウ、アイライナーの化粧が出来、しかもその１本の外形サイズを出来る限りコンパクトにしうると共に、使用時には使いやすい長さにセット出来、さらには前述のごとく、ペンシルタイプ、パウダータイプあるいはブラシタイプなどの多種類の塗布具を１本の塗布具容器内に収めることが出来るのみならず、塗布具の両側に色の異なったペンシルタイプを取り付け、真ん中にはブラシタイプの塗布具を取り付ける塗布具としたり、あるいは両側にパウダータイプの塗布具を取り付け、真ん中にはブラシタイプの塗布具とするなどバラエティに富んだ多目的、多用途の塗布具を構成部品を兼用させて提供出来るなど使用部品等を大幅に削減させて作製でき、もって製造コストをも安価にすることが出来るとの優れた効果を奏する。
【図面の簡単な説明】
【００１０】
【図１】本発明の第１実施例による塗布具の構成を説明する説明図である。
【図２】本発明の第２実施例による塗布具の構成を説明する説明図である。
【図３】本発明の第３実施例による塗布具の構成を説明する説明図である。。
【図４】本発明の第４実施例による塗布具の構成を説明する説明図である。
【図５】本発明の第５実施例による塗布具の構成を説明する説明図である。
【図６】本発明の第６実施例による塗布具の構成を説明する説明図である。
【図７】本発明の第７実施例による塗布具の構成を説明する説明図である。
【図８】本発明の第８実施例による塗布具の構成を説明する説明図である。。
【図９】本発明の全体の外観図及びキャップを外した状態図並びに真ん中のスクリューブラシ体を露出させた状態を示す状態図である。
【発明を実施するための形態】
【００１１】
以下、図に基づいて本発明の実施例の構成を説明する。
【００１２】
図１に本発明の第１実施例を示す。
本実施例による塗布具１は、略円筒状をなすホルダー２を有している。そして、このホルダー２は同じ外径と内径を有する第１ホルダー部３と第２ホルダー部４を有し、この第１ホルダー部３と第２ホルダー部４とは、ねじ螺合させる等により強固に連結、接続できて１本の長いホルダー２が構成できるものとなっている。
【００１３】
すなわち、第１ホルダー部３の後端部側には、該第１ホルダー部３の径より小径とされた略円筒状をなす狭窄円筒部５が設けられている。
【００１４】
そして、図１から理解されるように、この狭窄円筒部５の外周面には第２ホルダー部４の先端側内周面が嵌り込む構成とされ、もって１本の長いホルダー２が構成されるものとなっている。
【００１５】
すなわち、前記狭窄円筒部５の外周面にはねじ部６が設けられており、該ねじ部６に第２ホルダー部４の内周面に設けられたねじ部６が螺合し、連結、接続できて容易に抜けないようになっている。
【００１６】
第１ホルダー部３には、その先端側開口からペンシルカートリッジ基体７が挿入される。該ペンシルカートリッジ基体７は、略円筒状をなしており、その先端側は開口し、後端側は塞がれて形成されている。そして、このペンシルカートリッジ基体７内には、略円筒状をなすスパイラルスライダー８が挿入され、さらに、スパイラルスライダー８の内部には、ペンシルチャック１２が挿入される。
【００１７】
上記のように、ペンシルカートリッジ基体７に、ペンシルチャック１２が挿入されたスパイラルスライダー８が取り付けられ、さらに、ペンシルバルブ９がペンシルカートリッジ基体７の先端側に挿入されて取り付けられ、もって、ペンシルカートリッジ１０が組み立てられて構成される。
【００１８】
尚、図１から理解されるように、スパイラルスライダー８の内周面とペンシルチャック１２の外周面は螺合しており、ペンシルチャック１２が軸方向へ移動できるよう、前記双方の面がねじ面１１として構成されている。よって、先端側のペンシルバルブ９を握持して、第１ホルダー部３を回転させると、それに伴ってスパイラルスライダー８が回転する。すると、前記ねじ面１１の螺合により、ペンシルチャック１２が軸方向へ移動し、ペンシルバルブ９の先端に形成された開口部１３からペンシルチャック１２の先端に取り付けられた芯状塗布体１４が突出するよう構成されている。
【００１９】
また、第１ホルダー部３の後端側には、前述した様に狭窄円筒部５が設けられており、この狭窄円筒部５内に、スクリューブラシ体１５が取り付けられる。このスクリューブラシ体１５は、スクリューブラシ１６と、このスクリューブラシ１６の底部側に設けられたスクリューブラシ取付体１７とにより構成されている。このスクリューブラシ取付体１７が狭窄円筒部５に嵌入してスクリューブラシ１６が狭窄円筒部５の内部に取り付けられるものとなる。
【００２０】
ところで、第２ホルダー部４の後端側開口からは、パウダー部材２０が嵌入されて取り付けられる。ここで、パウダー部材２０は、パウダー状の塗布材が塗布されているパウダー部２１と該パウダー部２１を前記第２ホルダー部４内に取り付けるパウダー部取付体２２を有して構成されている。そして、このパウダー部取付体２２は、第２ホルダー部４内に挿入されて取り付けられたスプリングホルダー２３内にさらに挿入されて取り付けられる。
【００２１】
ここで、スプリングホルダー２３とパウダー部取付体２２との間には、その底部側においてスプリングなどで形成された伸縮可能な弾性部材２４が取り付けられており、この弾性部材２４によりパウダー部材２０はスプリングホルダー２３より外側に突出可能とされ、またスプリングホルダー２３内へ押し込み可能とされている。
【００２２】
符号２５はパウダーキャップであり、このパウダーキャップ２５内に予めパウダー３２が取り付けられている。そして、パウダーキャップ２５をキャップしたときに取り付けられているパウダー３２がパウダー部２１の先端に接触するよう前記弾性部材２４によってパウダー部２１に弾発力が与えられている。また、符号２６はペンシルキャップである。
【００２３】
次にこの塗布具１の組み立てにつき説明する。
第１ホルダー部３の開口から、前記の様に予め組み立てたペンシルカートリッジ１０を挿入して取り付ける。そして、前記の様に取り付けられたペンシルカートリッジ１０のペンシルチャック１２は、ペンシルバルブ９を握持した状態で第１ホルダー部３を回転させると、スパイラルスライダー８の内周面とペンシルチャック１２の外周面に設けられたねじ面１１の螺合により、ペンシルチャック１２が軸方向へ移動できる。よって、ペンシルバルブ９の先端に形成された開口部１３からペンシルチャック１２の先端に取り付けられた芯状塗布体１４を突出させることが出来る。
【００２４】
次に、狭窄円筒部５の開口にスクリューブラシ取付体１７を挿入し、スクリューブラシ１６を取り付ける。
【００２５】
さらに、第２ホルダー部４の後端側開口からは、パウダー部材２０を嵌入して取り付ける。パウダー部材２０を取り付けるスプリングホルダー２３の先端開口部側外周面からは外側に張り出す係止突起２８が設けられており、該係止突起２８が第２ホルダー部４の開口端面に係止するまでスプリングホルダー２３を挿入する。
【００２６】
そして、パウダー部材２０を取り付けた第２ホルダー部４の先端側開口の内周面に形成されたねじ部６を第１ホルダー部３の狭窄円筒部５の外周面に形成されたねじ部６に螺合させて第１ホルダー部３と第２ホルダー部４とを連結する。さらに、両端側にペンシルキャップ２６とパウダーキャップ２５を装着して組み立ては完了するものとなる。
【００２７】
ここで、前記装着されたペンシルタイプの塗布具１は、アイブロウにおいて、眉尻や形を整えるのに使いやすく落ちにくいとの利点がある。またパウダータイプの塗布具１は、眉頭や眉を広範囲に着色したり、着色をぼかす際に使用される。さらに、ブラシタイプの塗布具は眉をぼかし、塗布材を眉になじませる際に使用される。
【００２８】
本塗布具１には、これらペンシルタイプ、パウダータイプ、ブラシタイプがすべて取り付けられており、初心者であってもきわめて使いやすい構造となっている。
【００２９】
図２は第２実施例を示す。この実施例では、両側にペンシルカートリッジ１０が取り付けられ、真ん中に、スポンジなどで形成された、いわゆるぼかし部材２９が取り付けられている。このぼかし部材２９はパウダー３２をつけないで使用される。
ここで、第１ホルダー部３及び第２ホルダー部４は第１実施例のものと同様のものが使用される。
【００３０】
本実施例での組み立ては、第１ホルダー部３の開口からペンシルカートリッジ７を挿入する。次いで、狭窄円筒部５の開口に前記ぼかし部材２９を挿入する。スポンジなどの柔軟部材で形成された、いわゆるぼかし部材２９を前記狭窄円筒部５の先端開口から挿入していくのである。すなわち、ぼかし部材２９の取付体３０を狭窄円筒部５の内部に嵌合させ、前記ぼかし部材２９を取り付ける。
【００３１】
ここで、両端にペンシルタイプを取り付けた理由としては、色の異なるペンシルを２種類設ける場合などが考えられる。そして、真ん中に設けたぼかし部材２９によって、アイブロウやアイライナーを仕上げるものとなる。
【００３２】
図３に第３実施例を示す。この実施例では、真ん中にスクリューブラシ１６の長さが長いタイプのスクリューブラシ体１５を取り付けたものである。そのため、パウダー部取付体２２の底部は開口されており、その開口を通過して長いスクリューブラシ１６の先端部がパウダー部取付体２２側に張り出せるものとなっている。
【００３３】
そして、パウダー部材２０を軸方向に揺動させるスプリングホルダー２３の弾性部材２４はパウダー部取付体２２とスプリングホルダー２３との間に取り付けられている。尚、前述のごとく、パウダーキャップ２５内にはパウダー３２が取り付けられており、パウダーキャップ２５をキャップしたときにパウダー３２がパウダー部２１の先端に接触するよう前記弾性部材２４によって弾発力が与えられている。
【００３４】
図４は第４実施例を示す。この実施例では、真ん中にスクリューブラシ１６の長さが短いタイプのスクリューブラシ体１５を取り付けたものである。尚、パウダー部取付体２２の底部は開口されており、その開口を少し通過して短いスクリューブラシ１６の先端部がパウダー部取付体２２内に張り出せる構造となっている。そして、第３実施例と同様にパウダー部材２０を揺動させるスプリングホルダー２３の弾性部材２４はパウダー部取付体２２とスプリングホルダー２３との間に取り付けられている。
【００３５】
図５は第５実施例であり、真ん中に、前記したぼかし部材２９を取り付けたタイプである。この様にぼかし部材２９をスクリューブラシ体１５の替わりに取り付けることも出来る。
【００３６】
図６は、第６実施例であり、両側にパウダー部材２０を取り付け、真ん中にスクリューブラシ１６の長さが長いタイプのスクリューブラシ体１５を取り付けたものである。前記の実施例と同じように、図に向かって右側のパウダー部取付体２２の底部は開口されており、その開口を通過して長いスクリューブラシ１６の先端部がパウダー部取付体２２内に張り出せるものとなっている。そして、パウダー部材２０を揺動させるスプリングホルダー２３の弾性部材２４はパウダー部取付体２２とスプリングホルダー２３との間に取り付けられる。
【００３７】
図７は、第７実施例であり、両側にパウダー部材２０を取り付け、真ん中にスクリューブラシ１６の長さが短いタイプのスクリューブラシ体１５を取り付けたものである。第６実施例と同じように、図に向かって右側のパウダー部取付体２２の底部は開口されており、その開口を通過して短いスクリューブラシ１６の先端部が少しだけパウダー部取付体２２内に張り出せるものとなっている。そして、パウダー部材２０を揺動させるスプリングホルダー２３の弾性部材２４は、やはりパウダー部取付体２２とスプリングホルダー２３との間に取り付けられている。
【００３８】
図８は第８実施例であり、真ん中に、前記したぼかし部材２９を取り付けたタイプである。この様にぼかし部材２９をスクリューブラシ体１５の替わりに取り付けることも出来る。
【符号の説明】
【００３９】
１      塗布具
２      ホルダー
３      第１ホルダー部
４      第２ホルダー部
５      狭窄円筒部
６      ねじ部
７      ペンシルカートリッジ基体
８      スパイラルスライダー
９      ペンシルホルダー
１０    ペンシルカートリッジ
１１    ねじ面
１２    ペンシルチャック
１３    開口部
１４    芯状塗布体
１５    スクリューブラシ体
１６    スクリューブラシ
１７    スクリューブラシ取付体
２０    パウダー部材
２１    パウダー部
２２    パウダー部取付体
２３    スプリングホルダー
２４    弾性部材
２５    パウダーキャップ
２６    ペンシルキャップ
２８    係止突起
２９    ぼかし部材
３０    取付体
３２    パウダー
【図１】
2020069056.tif 000003
【図２】
2020069056.tif 000004
【図３】
2020069056.tif 000005
【図４】
2020069056.tif 000006
【図５】
2020069056.tif 000007
【図６】
2020069056.tif 000008
【図７】
2020069056.tif 000009
【図８】
2020069056.tif 000010
【図９】
2020069056.tif 000011
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
１本の塗布具で３種類の化粧が出来、該塗布具の外形サイズをコンパクトにしうると共に、使用時には使いやすい長さにセット出来る塗布具であり、
同じ外径と内径を有する略円筒状をなす第１ホルダー部及び第２ホルダー部と、
第１ホルダー部の後端部側に、該第１ホルダー部の径より小径とされた略円筒状をなす狭窄円筒部と、
狭窄円筒部の外周面と第２ホルダー部の先端側内周面に各々設けられ、前記第１ホルダー部と第２ホルダー部とを螺合状態で連結するねじ面と、
前記第１ホルダー部の先端側開口から挿入されて取り付けられる、略円筒状をなし、先端側は開口し後端側は塞がれ、先端側外周面に、外側に向かって張り出す係止突起を有し、該係止突起が第１ホルダー部の開口端面に係止するまで第１ホルダー内に挿入されるペンシルカートリッジ基体と、該ペンシルカートリッジ基体に挿入されるスパイラルスライダーと、スパイラルスライダー内部に挿入されるペンシルチャックとを有するペンシルカートリッジと、前記狭窄円筒部の開口から挿入されるスクリューブラシ体と、前記第２ホルダー部の後端側開口から嵌入されるパウダー部材と、を有し、
前記ペンシルカートリッジは、スパイラルスライダーの内周面とペンシルチャックの外周面の双方の面につき、前記ペンシルチャックが軸方向へ移動できるようねじ面として構成され、
前記パウダー部材は、パウダー状の塗布材が塗布されてなるパウダー部と該パウダー部を前記第２ホルダー部内に取り付けるパウダー部取付体を有して構成され、該パウダー部取付体は、スプリングホルダーに挿入されて取り付けられ、
スプリングホルダーは、両端に開口を有して円筒状をなし、後端側には外側に張り出す係止突起を有し、該係止突起が第２ホルダー部の開口端面に係止するまで第２ホルダー部内に挿入されて取り付けられ、
前記スプリングホルダーとパウダー部取付体との間には、先端側において、前記スプリングホルダーとパウダー部取付体との間に入るようリング状に巻かれた伸縮可能な弾性部材が取り付けられ、前記パウダー部材は、第２ホルダー部の開口をキャップするパウダーキャップ内に予め取り付けられたパウダー状塗布材に接触可能にすべく前記弾性部材によって弾発力が与えられ、
前記スクリューブラシ体のスクリューブラシ先端部は、スプリングホルダー及びパウダー部取付体の開口を通過してスプリングホルダーとパウダー部取付体側に張り出せる構造とされた、
ことを特徴とする塗布具。
【請求項２】
前記第２ホルダー部の後端側開口から嵌入されるパウダー部材に替えて、前記ペンシルカートリッジが取り付けられる、
ことを特徴とする請求項１記載の塗布具。
【請求項３】
前記第１ホルダー部の開口から挿入されて取り付けられるペンシルカートリッジに替えて、前記パウダー部材が取り付けられる、
ことを特徴とする請求項１記載の塗布具。
【請求項４】
前記狭窄円筒部の開口に挿入されて取り付けられるスクリューブラシ体に替えて、ぼかし部材が取り付けられる、
ことを特徴とする請求項１記載の塗布具。
【手続補正２】
【補正対象書類名】明細書
【補正対象項目名】全文
【補正方法】変更
【補正の内容】
【発明の詳細な説明】
【技術分野】
【０００１】
本発明は、例えばアイライナーやアイブロウのような化粧用具などの様に、例えば棒状芯材の先端部より所定箇所に描画して使用する塗布具に係り、特に複数の用途に対応した塗布具の創作に関するものである。
【背景技術】
【０００２】
従来、アイブロウなど内部にいわゆるペンシルタイプの棒状芯材を取り付け、このペンシルタイプの棒状芯材先端部によって眉などの所定箇所に描画するペンシルタイプの塗布具、あるいは眉頭の描画や眉を広範囲にぼかしたい場合に使用されるパウダータイプの塗布具、あるいは、眉等に対して、塗布材料を馴染ませやすくしたスクリューブラシタイプの塗布具などが一般に知られている。
【０００３】
しかしながら、これら塗布具は、従来それぞれ別々の塗布具として作製されて販売されており、納得のいくアイブロウやアイライナーの化粧を望む場合には、その使用目的に応じて、少なくとも例えば３本の塗布具を常に用意しなければならないとの課題があった。
【０００４】
ここで、前述のペンシルタイプの塗布具は、文字通り固形の芯で眉に色を描き足せるもので比較的小回りのきく鉛筆のようなタイプであり、このペンシルタイプの塗布具の使用のほかにパウダータイプやスクリューブラシタイプの塗布具をさらに使用して、眉にぼかしを入れたり、眉をナチュラルに仕上げたりするのである。また、きりっとした立体的な印象に仕上げることも前記の３種の塗布具を使用して行えるものとなっている。
【０００５】
さらに、部分的なすき間を埋めたり、目尻や輪郭などのラインを描くときにも前記３種類の塗布具を使用すればきわめて好ましい仕上げが出来ることになる。
【先行技術文献】
【特許文献】
【０００６】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【０００７】
かくして、本発明による塗布具は、前記従来の課題を解決するために創案されたものであって、１本の塗布具容器で少なくとも３種類のアイブロウ、アイライナーの化粧が出来、しかもその１本の外形サイズを出来る限りコンパクトにしうると共に、使用時には使いやすい長さにセット出来、さらには前述のごとく、ペンシルタイプ、パウダータイプあるいはブラシタイプなどの多種類の塗布具を１本の塗布具容器内に収めることが出来るのみならず、塗布具の両側に色の異なったペンシルタイプを取り付け、真ん中にはブラシタイプの塗布具を取り付ける塗布具としたり、あるいは両側にパウダータイプの塗布具を取り付け、真ん中にはブラシタイプの塗布具とするなどバラエティに富んだ多目的、多用途の塗布具を構成部品として兼用させて提供出来るなど使用部品等を大幅に削減させて作製でき、もって製造コストをも安価にすることが出来る塗布具を提供することを目的とするものである。
【課題を解決するための手段】
【０００８】
本発明による塗布具は、
１本の塗布具で３種類の化粧が出来、該塗布具の外形サイズをコンパクトにしうると共に、使用時には使いやすい長さにセット出来る塗布具であり、
同じ外径と内径を有する略円筒状をなす第１ホルダー部及び第２ホルダー部と、
第１ホルダー部の後端部側に、該第１ホルダー部の径より小径とされた略円筒状をなす狭窄円筒部と、
狭窄円筒部の外周面と第２ホルダー部の先端側内周面に各々設けられ、前記第１ホルダー部と第２ホルダー部とを螺合状態で連結するねじ面と、
前記第１ホルダー部の先端側開口から挿入されて取り付けられる、略円筒状をなし、先端側は開口し後端側は塞がれ、先端側外周面に、外側に向かって張り出す係止突起を有し、該係止突起が第１ホルダー部の開口端面に係止するまで第１ホルダー内に挿入されるペンシルカートリッジ基体と、該ペンシルカートリッジ基体に挿入されるスパイラルスライダーと、スパイラルスライダー内部に挿入されるペンシルチャックとを有するペンシルカートリッジと、前記狭窄円筒部の開口から挿入されるスクリューブラシ体と、前記第２ホルダー部の後端側開口から嵌入されるパウダー部材と、を有し、
前記ペンシルカートリッジは、スパイラルスライダーの内周面とペンシルチャックの外周面の双方の面につき、前記ペンシルチャックが軸方向へ移動できるようねじ面として構成され、
前記パウダー部材は、パウダー状の塗布材が塗布されてなるパウダー部と該パウダー部を前記第２ホルダー部内に取り付けるパウダー部取付体を有して構成され、該パウダー部取付体は、スプリングホルダーに挿入されて取り付けられ、
スプリングホルダーは、両端に開口を有して円筒状をなし、後端側には外側に張り出す係止突起を有し、該係止突起が第２ホルダー部の開口端面に係止するまで第２ホルダー部内に挿入されて取り付けられ、
前記スプリングホルダーとパウダー部取付体との間には、先端側において、前記スプリングホルダーとパウダー部取付体との間に入るようリング状に巻かれた伸縮可能な弾性部材が取り付けられ、前記パウダー部材は、第２ホルダー部の開口をキャップするパウダーキャップ内に予め取り付けられたパウダー状塗布材に接触可能にすべく前記弾性部材によって弾発力が与えられ、
前記スクリューブラシ体のスクリューブラシ先端部は、スプリングホルダー及びパウダー部取付体の開口を通過してスプリングホルダーとパウダー部取付体側に張り出せる構造とされた、
ことを特徴とし、
または、
前記第２ホルダー部の後端側開口から嵌入されるパウダー部材に替えて、前記ペンシルカートリッジが取り付けられる、
ことを特徴とし、
または、
前記第１ホルダー部の開口から挿入されて取り付けられるペンシルカートリッジに替えて、前記パウダー部材が取り付けられる、
ことを特徴とし、
または、
前記狭窄円筒部の開口に挿入されて取り付けられるスクリューブラシ体に替えて、ぼかし部材が取り付けられる、
ことを特徴とするものである。
【発明の効果】
【０００９】
本発明による塗布具であれば、１本の塗布具容器で少なくとも３種類のアイブロウ、アイライナーの化粧が出来、しかもその１本の外形サイズを出来る限りコンパクトにしうると共に、使用時には使いやすい長さにセット出来、さらには前述のごとく、ペンシルタイプ、パウダータイプあるいはブラシタイプなどの多種類の塗布具を１本の塗布具容器内に収めることが出来るのみならず、塗布具の両側に色の異なったペンシルタイプを取り付け、真ん中にはブラシタイプの塗布具を取り付ける塗布具としたり、あるいは両側にパウダータイプの塗布具を取り付け、真ん中にはブラシタイプの塗布具とするなどバラエティに富んだ多目的、多用途の塗布具を構成部品を兼用させて提供出来るなど使用部品等を大幅に削減させて作製でき、もって製造コストをも安価にすることが出来るとの優れた効果を奏する。
【図面の簡単な説明】
【００１０】
【図１】本発明の第１実施例による塗布具の構成を説明する説明図である。
【図２】本発明の第２実施例による塗布具の構成を説明する説明図である。
【図３】本発明の第３実施例による塗布具の構成を説明する説明図である。
【図４】本発明の第４実施例による塗布具の構成を説明する説明図である。
【図５】本発明の第５実施例による塗布具の構成を説明する説明図である。
【図６】本発明の第６実施例による塗布具の構成を説明する説明図である。
【図７】本発明の第７実施例による塗布具の構成を説明する説明図である。
【図８】本発明の第８実施例による塗布具の構成を説明する説明図である。。
【図９】本発明の全体の外観図及びキャップを外した状態図並びに真ん中のスクリューブラシ体を露出させた状態を示す状態図である。
【発明を実施するための形態】
【００１１】
以下、図に基づいて本発明の実施例の構成を説明する。
【００１２】
図１に本発明の第１実施例を示す。
本実施例による塗布具１は、略円筒状をなすホルダー２を有している。そして、このホルダー２は同じ外径と内径を有する第１ホルダー部３と第２ホルダー部４を有し、この第１ホルダー部３と第２ホルダー部４とは、ねじ螺合させる等により強固に連結、接続できて１本の長いホルダー２が構成できるものとなっている。
【００１３】
すなわち、第１ホルダー部３の後端部側には、該第１ホルダー部３の径より小径とされた略円筒状をなす狭窄円筒部５が設けられている。
【００１４】
そして、図１から理解されるように、この狭窄円筒部５の外周面には第２ホルダー部４の先端側内周面が嵌り込む構成とされ、もって１本の長いホルダー２が構成されるものとなっている。
【００１５】
すなわち、前記狭窄円筒部５の外周面にはねじ部６が設けられており、該ねじ部６に第２ホルダー部４の内周面に設けられたねじ部６が螺合し、連結、接続できて容易に抜けないようになっている。
【００１６】
第１ホルダー部３には、その先端側開口からペンシルカートリッジ基体７が挿入される。該ペンシルカートリッジ基体７は、略円筒状をなしており、その先端側は開口し、後端側は塞がれて形成されている。そして、このペンシルカートリッジ基体７内には、略円筒状をなすスパイラルスライダー８が挿入され、さらに、スパイラルスライダー８の内部には、ペンシルチャック１２が挿入される。
【００１７】
上記のように、ペンシルカートリッジ基体７に、ペンシルチャック１２が挿入されたスパイラルスライダー８が取り付けられ、さらに、ペンシルバルブ９がペンシルカートリッジ基体７の先端側に挿入されて取り付けられ、もって、ペンシルカートリッジ１０が組み立てられて構成される。
【００１８】
尚、図１から理解されるように、スパイラルスライダー８の内周面とペンシルチャック１２の外周面は螺合しており、ペンシルチャック１２が軸方向へ移動できるよう、前記双方の面がねじ面１１として構成されている。よって、先端側のペンシルバルブ９を握持して、第１ホルダー部３を回転させると、それに伴ってスパイラルスライダー８が回転する。すると、前記ねじ面１１の螺合により、ペンシルチャック１２が軸方向へ移動し、ペンシルバルブ９の先端に形成された開口部１３からペンシルチャック１２の先端に取り付けられた芯状塗布体１４が突出するよう構成されている。
【００１９】
また、第１ホルダー部３の後端側には、前述した様に狭窄円筒部５が設けられており、この狭窄円筒部５内に、スクリューブラシ体１５が取り付けられる。このスクリューブラシ体１５は、スクリューブラシ１６と、このスクリューブラシ１６の底部側に設けられたスクリューブラシ取付体１７とにより構成されている。このスクリューブラシ取付体１７が狭窄円筒部５に嵌入してスクリューブラシ１６が狭窄円筒部５の内部に取り付けられるものとなる。
【００２０】
ところで、第２ホルダー部４の後端側開口からは、パウダー部材２０が嵌入されて取り付けられる。ここで、パウダー部材２０は、パウダー状の塗布材が塗布されているパウダー部２１と該パウダー部２１を前記第２ホルダー部４内に取り付けるパウダー部取付体２２を有して構成されている。そして、このパウダー部取付体２２は、第２ホルダー部４内に挿入されて取り付けられたスプリングホルダー２３内にさらに挿入されて取り付けられる。
【００２１】
ここで、スプリングホルダー２３とパウダー部取付体２２との間には、その底部側においてスプリングなどで形成された伸縮可能な弾性部材２４が取り付けられており、この弾性部材２４によりパウダー部材２０はスプリングホルダー２３より外側に突出可能とされ、またスプリングホルダー２３内へ押し込み可能とされている。
【００２２】
符号２５はパウダーキャップであり、このパウダーキャップ２５内に予めパウダー３２が取り付けられている。そして、パウダーキャップ２５をキャップしたときに取り付けられているパウダー３２がパウダー部２１の先端に接触するよう前記弾性部材２４によってパウダー部２１に弾発力が与えられている。また、符号２６はペンシルキャップである。
【００２３】
次にこの塗布具１の組み立てにつき説明する。
第１ホルダー部３の開口から、前記の様に予め組み立てたペンシルカートリッジ１０を挿入して取り付ける。そして、前記の様に取り付けられたペンシルカートリッジ１０のペンシルチャック１２は、ペンシルバルブ９を握持した状態で第１ホルダー部３を回転させると、スパイラルスライダー８の内周面とペンシルチャック１２の外周面に設けられたねじ面１１の螺合により、ペンシルチャック１２が軸方向へ移動できる。よって、ペンシルバルブ９の先端に形成された開口部１３からペンシルチャック１２の先端に取り付けられた芯状塗布体１４を突出させることが出来る。
【００２４】
次に、狭窄円筒部５の開口にスクリューブラシ取付体１７を挿入し、スクリューブラシ１６を取り付ける。
【００２５】
さらに、第２ホルダー部４の後端側開口からは、パウダー部材２０を嵌入して取り付ける。パウダー部材２０を取り付けるスプリングホルダー２３の先端開口部側外周面からは外側に張り出す係止突起２８が設けられており、該係止突起２８が第２ホルダー部４の開口端面に係止するまでスプリングホルダー２３を挿入する。
【００２６】
そして、パウダー部材２０を取り付けた第２ホルダー部４の先端側開口の内周面に形成されたねじ部６を第１ホルダー部３の狭窄円筒部５の外周面に形成されたねじ部６に螺合させて第１ホルダー部３と第２ホルダー部４とを連結する。さらに、両端側にペンシルキャップ２６とパウダーキャップ２５を装着して組み立ては完了するものとなる。
【００２７】
ここで、前記装着されたペンシルタイプの塗布具１は、アイブロウにおいて、眉尻や形を整えるのに使いやすく落ちにくいとの利点がある。またパウダータイプの塗布具１は、眉頭や眉を広範囲に着色したり、着色をぼかす際に使用される。さらに、ブラシタイプの塗布具は眉をぼかし、塗布材を眉になじませる際に使用される。
【００２８】
本塗布具１には、これらペンシルタイプ、パウダータイプ、ブラシタイプがすべて取り付けられており、初心者であってもきわめて使いやすい構造となっている。
【００２９】
図２は第２実施例を示す。この実施例では、両側にペンシルカートリッジ１０が取り付けられ、真ん中に、スポンジなどで形成された、いわゆるぼかし部材２９が取り付けられている。このぼかし部材２９はパウダー３２をつけないで使用される。
ここで、第１ホルダー部３及び第２ホルダー部４は第１実施例のものと同様のものが使用される。
【００３０】
本実施例での組み立ては、第１ホルダー部３の開口からペンシルカートリッジ７を挿入する。次いで、狭窄円筒部５の開口に前記ぼかし部材２９を挿入する。スポンジなどの柔軟部材で形成された、いわゆるぼかし部材２９を前記狭窄円筒部５の先端開口から挿入していくのである。すなわち、ぼかし部材２９の取付体３０を狭窄円筒部５の内部に嵌合させ、前記ぼかし部材２９を取り付ける。
【００３１】
ここで、両端にペンシルタイプを取り付けた理由としては、色の異なるペンシルを２種類設ける場合などが考えられる。そして、真ん中に設けたぼかし部材２９によって、アイブロウやアイライナーを仕上げるものとなる。
【００３２】
図３に第３実施例を示す。この実施例では、真ん中にスクリューブラシ１６の長さが長いタイプのスクリューブラシ体１５を取り付けたものである。そのため、スプリングホルダー２３の先端部も開口されており、またパウダー部取付体２２の先端部も開口されており、その開口を通過して長いスクリューブラシ１６の先端部がスプリングホルダー２３とパウダー部取付体２２側に張り出せるものとなっている。
【００３３】
そして、パウダー部材２０を軸方向に揺動させるスプリングホルダー２３の弾性部材２４はパウダー部取付体２２とスプリングホルダー２３との間に取り付けられている。尚、前述のごとく、パウダーキャップ２５内にはパウダー３２が取り付けられており、パウダーキャップ２５をキャップしたときにパウダー３２がパウダー部２１の先端に接触するよう前記弾性部材２４によって弾発力が与えられている。
【００３４】
図４は第４実施例を示す。この実施例では、真ん中にスクリューブラシ１６の長さが短いタイプのスクリューブラシ体１５を取り付けたものである。尚、スプリングホルダー２３とパウダー部取付体２２の先端部は開口されており、その開口を少し通過して短いスクリューブラシ１６の先端部がスプリングホルダー２３内に張り出せる構造となっている。そして、第３実施例と同様にパウダー部材２０を揺動させるスプリングホルダー２３の弾性部材２４はパウダー部取付体２２とスプリングホルダー２３との間に取り付けられている。
図４は第４実施例を示す。この実施例では、真ん中にスクリューブラシ１６の長さが短いタイプのスクリューブラシ体１５を取り付けたものである。尚、パウダー部取付体２２の底部は開口されており、その開口を少し通過して短いスクリューブラシ１６の先端部がパウダー部取付体２２内に張り出せる構造となっている。そして、第３実施例と同様にパウダー部材２０を揺動させるスプリングホルダー２３の弾性部材２４はパウダー部取付体２２とスプリングホルダー２３との間に取り付けられている。
【００３５】
図５は第５実施例であり、真ん中に、前記したぼかし部材２９を取り付けたタイプである。この様にぼかし部材２９をスクリューブラシ体１５の替わりに取り付けることも出来る。
【００３６】
図６は、第６実施例であり、両側にパウダー部材２０を取り付け、真ん中にスクリューブラシ１６の長さが長いタイプのスクリューブラシ体１５を取り付けたものである。前記の実施例と同じように、図に向かって右側のパウダー部取付体２２の底部は開口されており、その開口を通過して長いスクリューブラシ１６の先端部がパウダー部取付体２２内に張り出せるものとなっている。そして、パウダー部材２０を揺動させるスプリングホルダー２３の弾性部材２４はパウダー部取付体２２とスプリングホルダー２３との間に取り付けられる。
【００３７】
図７は、第７実施例であり、両側にパウダー部材２０を取り付け、真ん中にスクリューブラシ１６の長さが短いタイプのスクリューブラシ体１５を取り付けたものである。第６実施例と同じように、図に向かって右側のパウダー部取付体２２の底部は開口されており、その開口を通過して短いスクリューブラシ１６の先端部が少しだけパウダー部取付体２２内に張り出せるものとなっている。そして、パウダー部材２０を揺動させるスプリングホルダー２３の弾性部材２４は、やはりパウダー部取付体２２とスプリングホルダー２３との間に取り付けられている。
【００３８】
図８は第８実施例であり、真ん中に、前記したぼかし部材２９を取り付けたタイプである。この様にぼかし部材２９をスクリューブラシ体１５の替わりに取り付けることも出来る。
【符号の説明】
【００３９】
１      塗布具
２      ホルダー
３      第１ホルダー部
４      第２ホルダー部
５      狭窄円筒部
６      ねじ部
７      ペンシルカートリッジ基体
８      スパイラルスライダー
９      ペンシルホルダー
１０    ペンシルカートリッジ
１１    ねじ面
１２    ペンシルチャック
１３    開口部
１４    芯状塗布体
１５    スクリューブラシ体
１６    スクリューブラシ
１７    スクリューブラシ取付体
２０    パウダー部材
２１    パウダー部
２２    パウダー部取付体
２３    スプリングホルダー
２４    弾性部材
２５    パウダーキャップ
２６    ペンシルキャップ
２８    係止突起
２９    ぼかし部材
３０    取付体
３２    パウダー